【手続補正書】
【提出日】平成16年4月7日(2004.4.7)
【手続補正１】
【補正対象書類名】特許請求の範囲
【補正対象項目名】全文
【補正方法】変更
【補正の内容】
【特許請求の範囲】
【請求項１】
発光デバイス（ＬＥＤ）のアレイを駆動させるための回路であって、
第１の発光時間フレーム中に第１の波長を有する第１の光を生成する第１の組の直列接
続されたＬＥＤと、
第２の発光時間フレーム中に前記第１の波長と異なる第２の波長を有する第２の光を生
成する第２の組の直列接続されたＬＥＤと、
前記第１および第２の組のＬＥＤに共用電流源を供給する電源と、
前記第１の組のＬＥＤと直列に配列された第１のスイッチと、
前記第２の組のＬＥＤと直列に配列された第２のスイッチと、
前記電源に結合され、かつ前記第１および第２のスイッチに結合された表示制御器とを
備え、前記表示制御器は第１および第２の色フレーム順次データに従ってそれぞれ第１お
よび第２の制御信号を生成するように構成され、前記第１の制御信号が前記第１の発光時
間フレーム中に前記第１の組のＬＥＤを駆動するように少なくとも前記電源または前記第
１のスイッチに作用し、さらに、前記第２の制御信号が前記第２の発光時間フレーム中に
前記第２の組のＬＥＤを駆動するように少なくとも前記電源または前記第２のスイッチに
対して作用し、前記第１および第２の発光時間フレームが互いに連続している回路。
【請求項２】
さらに、
第３の発光時間フレーム中に前記第１および第２の波長と異なる第３の波長を有する第
３の光を生成する第３の組の第３のＬＥＤと、
前記第３の組のＬＥＤに結合された第３のスイッチとを備え、
前記電源が、前記第３の組の第３のＬＥＤに前記共用電流源を供給し、さらに、
前記表示制御器が、第３の色フレーム順次データに従って第３の制御信号を生成するよ
うに構成され、前記第３の制御信号が前記第３の発光時間フレーム中に前記第３の組のＬ
ＥＤを駆動するように少なくとも前記電源または前記第３のスイッチに対して作用し、前
記第３の発光時間フレームが前記第１および第２の時間フレームと連続している請求項１
に記載の回路。
【請求項３】
前記第１、第２、第３の組のＬＥＤが、それぞれ赤、緑、青の光を放射する請求項２に
記載の回路。
【請求項４】
前記第１、第２、第３の組のＬＥＤが、それぞれ黄、シアン、マゼンタの光を放射する請求
項２に記載の回路。
【請求項５】
前記第１、第２、第３の組のＬＥＤが発光ダイオードである請求項２に記載の回路。
【請求項６】
前記第１、第２、第３の組のＬＥＤがレーザ・ダイオードである請求項２に記載の回路
。
【請求項７】
前記表示制御器が、第１、第２、第３の組のＬＥＤの故障ＬＥＤを補償するためにそれ
ぞれ前記第１、第２、第３のスイッチのうちの少なくとも１つに対して作用するように補
償制御信号を生成する請求項２に記載の回路。
【請求項８】
前記第１、第２、第３の制御信号が、さらに、それぞれ前記第１、第２、第３の組のＬ
ＥＤで放射される光の輝度を調整するように前記電流源の電流レベルに対して作用する請
求項２に記載の回路。
【請求項９】
前記第１、第２、第３の組の直列接続されたＬＥＤのうちの少なくとも１組が、さらに
、それぞれ少なくとも１組の直並列アレイのＬＥＤで構成される請求項２に記載の回路。
【請求項１０】
発光デバイス（ＬＥＤ）のアレイを駆動させるための回路であって、
第１の波長を有する第１の光を生成する第１の組の直列接続されたＬＥＤと、
前記第１の波長と異なる第２の波長を有する第２の光を生成する第２の組の直列接続さ
れたＬＥＤと、
前記第１および第２の組のＬＥＤにそれぞれ第１および第２の電流を供給する電源と、
前記電源に結合された表示制御器とを備え、前記表示制御器は色フレーム・データに従
ってそれぞれ第１および第２の制御信号を生成するように構成され、前記第１の制御信号
が前記第１の組のＬＥＤを連続的に駆動するように前記第１の電流源に対して作用し、さ
らに、前記第２の制御信号が前記第２の組のＬＥＤを連続的に駆動するように前記第２の
電流源に対して作用する回路。
【請求項１１】
発光デバイス（ＬＥＤ）のアレイを駆動させるための回路であって、
第１の発光時間フレーム中に第１の組の直列接続されたＬＥＤから第１の波長を有する
第１の光を生成するための手段と、
第２の発光時間フレーム中に第２の組の直列接続されたＬＥＤから前記第１の波長と異
なる第２の波長を有する第２の光を生成するための手段と、
電源から前記第１および第２の組のＬＥＤに共用電流源を供給するための手段と、
前記第１の組のＬＥＤと直列に第１のスイッチを配列するための手段と、
前記第２の組のＬＥＤと直列に第２のスイッチを配列するための手段と、
前記電源および前記第１および第２のスイッチに表示制御器を結合するための手段とを
備え、前記表示制御器は第１および第２の色フレーム順次データに従ってそれぞれ第１お
よび第２の制御信号を生成する手段を有し、前記第１の制御信号が前記第１の発光時間フ
レーム中に前記第１の組のＬＥＤを駆動するように少なくとも前記電源または前記第１の
スイッチに対して作用し、さらに、前記第２の制御信号が前記第２の発光時間フレーム中
に前記第２の組のＬＥＤを駆動するように少なくとも前記電源または前記第２のスイッチ
に対して作用する回路。
【請求項１２】
発光デバイス（ＬＥＤ）のアレイを駆動させるための回路であって、
第１の組の直列接続されたＬＥＤから第１の波長を有する第１の光を生成するための手
段と、
第２の組の直列接続されたＬＥＤから前記第１の波長と異なる第２の波長を有する第２
の光を生成するための手段と、
電源から前記第１および第２の組のＬＥＤにそれぞれ第１および第２の電流源を供給す
るための手段と、
前記電源に表示制御器を結合するための手段とを備え、前記表示制御器は色フレーム・
データに従ってそれぞれ第１および第２の制御信号を生成する手段を有し、前記第１の制
御信号が前記第１の組のＬＥＤを連続的に駆動するように前記第１の電流源に対して作用
し、さらに、前記第２の制御信号が前記第２の組のＬＥＤを連続的に駆動するように前記
第２の電流源に対して作用する回路。
【請求項１３】
投影表示システムの発光デバイス（ＬＥＤ）のアレイを駆動させる方法であって、
撮像デバイスを駆動するためにそれぞれの第１および第２の色の一連の画像データのフ
レームを受け取るステップと、
前記それぞれの第１および第２の色の一連の画像データのフレームに従って第１および
第２の制御信号を生成するステップと、
前記第１の制御信号に応答して第１の発光時間フレーム中に第１のＬＥＤ色チャネルか
ら第１の波長を有する第１の光を生成するステップと、
前記第２の制御信号に応答して第２の発光時間フレーム中に第２のＬＥＤ色チャネルか
ら第２の波長を有する第２の光を生成するステップと、
前記第１および第２の光を前記撮像デバイスに伝えるステップとを含む方法。
【請求項１４】
投影表示システムの発光デバイス（ＬＥＤ）のアレイを駆動させる方法であって、
それぞれの第１および第２の撮像デバイスを駆動するためにそれぞれの第１および第２
の色データを受け取るステップと、
前記それぞれの第１および第２の色データに従って第１および第２の制御信号を生成す
るステップと、
前記第１の制御信号に応答して第１の発光時間フレーム中に第１のＬＥＤ色チャネルか
ら第１の波長を有する第１の光を生成するステップと、
前記第２の制御信号に応答して第２の発光時間フレーム中に第２のＬＥＤ色チャネルか
ら第２の波長を有する第２の光を生成するステップと、
前記第１および第２の光を前記それぞれの第１および第２の撮像デバイスに伝えるステ
ップとを含む方法。
【手続補正２】
【補正対象書類名】明細書
【補正対象項目名】００２５
【補正方法】変更
【補正の内容】
【００２５】
例えば黄、シアン、または白のような他のＬＥＤ発光波長を、追加的に、または代替え的に使用することができる。マゼンタＬＥＤは現在存在しないが、赤ＬＥＤ７２ｒと青ＬＥＤ７２ｂの組合せでマゼンタを作ることができる。便宜上、白は単色または色の組合せであると考えることができる。一実施形態では、ＬＥＤアレイ７０を１８本の光ファイバ７６に取り付け、この光ファイバ７６を、５６ｍｍ2より小さな累積出力面積を持つ１つまたは複数の光ファイバ束８６にまとめる。このように、ＬＥＤアレイ７０は、それぞれの光ファイバ束８６の出力面積よりも大きな面積の基板表面１１４を有するので、ファイバ束の出力面積から出る光は、ＬＥＤアレイ７０の表面１１４から放射される光よりも強い（かつ温度がより低い）。同じく当業者は理解するであろうが、単一のＬＥＤアレイ７０は、全て同一波長を放射するＬＥＤを含むことができ、または、図３に実際に示すように異なる波長のＬＥＤ７２ｂ、７２ｇおよび／または７２ｒの行８２、列８４、またはグループ分けを有することができる。さらに当業者は理解するであろうが、発光強度特性、熱放散特性、および製造コストは、また、ＬＥＤ７２の間隔および大きさ、および／または使用されるＬＥＤアレイ７０の大きさおよび数を決定する際に役割を果たす。